(57)【要約】【課題】障子の各框を熱溶着で連結することで框体とすることができること、上枠、下枠、縦枠と上框、下框、戸当り框の見付け方向の重なり寸法を大きくできること、内観の見栄えが良いこと、召合せ框の見付け方向外端部に施錠部材をカバー材を用いずに取付けできることを満足した合成樹脂製サッシとする。【解決手段】上框と下框と戸当り框を、本体と、その本体の見付け方向外端面に設けた外向突部を有する形状とし、召合せ框は前述の本体のみの形状とし、この召合せ框の端面と上框、下框の本体の端面を熱溶着で連結し、召合せ框の見付け寸法を小さくして内観の見栄えを良くすると共に、召合せ框の見付け方向外端部を平坦面として施錠部品をカバー材を用いずに取付けできるようにする。【選択図】図５
2009052364.tif 000002
【特許請求の範囲】
【請求項１】
合成樹脂製の上枠、下枠及び左右縦枠を方形状に連結し、その内面に内向突部を備えた枠体に、合成樹脂製の上框、下框、戸当り框及び召合せ框を方形状に連結した框体から成る障子を面内方向に移動自在に建て込んだ合成樹脂製サッシであって、
前記上框、下框及び戸当り框は、ガラス装着部を有した本体と、その本体の見付け方向外端部に外向突部を備えた同一断面形状で、
前記召合せ框は、前記上框、下框及び戸当り框における外向突部を備えていない本体と同様な断面形状とし、
前記上框、下框及び戸当り框は、長手方向の端面をそれぞれ４５度の傾斜面とし、その端面同士を突き合わせて熱溶着で連結し、
前記上框、下框及び召合せ框は、上框、下框の本体と召合せ框の長手方向の端面をそれぞれ４５度の傾斜面とし、その端面同士を突き合わせて熱溶着で連結し、
前記障子は前記枠体に、前記上框、下框の外向突部が前記上枠、下枠の内向突部に見付け方向に重なり合うように建て込まれ、障子を閉じた状態で前記戸当り框の外向突部が前記縦枠の内向突部に見付け方向に重なり合うようにしたことを特徴とする合成樹脂製サッシ。
【請求項２】
上框、下框及び戸当り框は、その本体の室内側部が外向突部よりも室内側に張り出した形状で、その各本体の室内側張り出し部と召合せ框が同一見付け寸法で四周連続している請求項１記載の合成樹脂製サッシ。
【請求項３】
障子が閉じた状態において、戸当り框の本体の室内側張り出し部と縦枠との間に人の手が入り込む隙間が生じるようにした請求項２記載の合成樹脂製サッシ。
【請求項４】
召合せ框に、上框、下框の外向突部の長手方向の端面を被覆する覆部材を取付けた請求項１〜３いずれか１項に記載の合成樹脂製サッシ。
【発明の詳細な説明】
【技術分野】
【０００１】
本発明は、合成樹脂製の枠体に、合成樹脂製の障子を面内方向に移動自在に建て込んだ合成樹脂製サッシに関する。
【背景技術】
【０００２】
従来から合成樹脂製の上枠、下枠、左右の縦枠を方形状に連結した合成樹脂製の枠体に、合成樹脂製の上框、下框、戸当り框、召合せ框を方形状に連結した框体内にガラスを装着した合成樹脂製の障子を、面内方向に移動自在に建て込んだ合成樹脂製サッシが種々提案されている。
この合成樹脂製の枠体、障子の框体は、例えば特許文献１に開示されたように、各枠、各框の長手方向端部を４５度に切断加工し、その切断した端面をつき合わせて熱溶着により圧着して連結することで枠体、框体としている。
【０００３】
また、前述した合成樹脂製サッシにおいては、障子の上框、下框、戸当り框と枠体の上枠、下枠、縦枠の見付け方向（上下方向、左右方向）の重なり寸法（例えば、のみ込み寸法）を大きくし、サッシとしての耐風圧性能や気密・水密性能を確保している。
例えば、特許文献２に開示したように、上枠、下枠、縦枠を、その内面に複数の内向突部を設け、上框、下框、戸先框の見付け方向外端部に外向突部を設け、この外向突部と前記内向突部を見付け方向に重なり合うようにして障子を枠体に建て込んでいる。
【特許文献１】実開平５−３２６７８号公報
【特許文献２】特許第３１７７９１０号公報
【発明の開示】
【発明が解決しようとする課題】
【０００４】
前記合成樹脂製の障子の框を、前述したように熱溶着で連結するために、従来は障子の上框、下框、戸当り框、召合せ框を同一断面形状としている。
また、前述したように、上枠、下枠、縦枠と上框、下框、戸当り框の見付け方向の重なり寸法を大きくした合成樹脂製サッシにおいては、その上框、下框、戸当り框の見付け寸法（上下方向の寸法、左右方向の寸法）は外向突部のために大きい。
【０００５】
このようであるから、框を熱溶着で連結した障子とすると共に、枠と框の見付け方向の重なり寸法を大きくした合成樹脂製サッシにおいては、障子の召合せ框が上框、下框、戸当り框と同一断面形状で、その召合せ框の見付け寸法が大きく、室内から見た時に見付け寸法の大きな召合せ框全体が見え、内観の見栄えが悪い。
【０００６】
また、上框、下框、戸当り框が、見付け方向外端部に外向突部を有する断面形状であると、召合せ框も見付け方向外端部に外向突部を有する断面形状であるから、その召合せ框の見付け方向外端部にクレセントなどの施錠部品を取付けることが困難で、その召合せ框の見付け方向外端部にカバー材を取付け、そのカバー材に施錠部品を取付けているので、コスト高である。
【０００７】
本発明の目的は、框を熱溶着で連結して障子の框体を形成できると共に、上枠、下枠、縦枠と上框、下框、戸当り框の見付け方向の重なり寸法を大きくでき、しかも内観の見栄えが良いと共に、召合せ框の見付け方向外端部に施錠部品をカバー材を用いずに取付けできるようにした合成樹脂製サッシとすることである。
【課題を解決するための手段】
【０００８】
本発明は、合成樹脂製の上枠、下枠及び左右縦枠を方形状に連結し、その内面に内向突部を備えた枠体に、合成樹脂製の上框、下框、戸当り框及び召合せ框を方形状に連結した框体から成る障子を面内方向に移動自在に建て込んだ合成樹脂製サッシであって、
前記上框、下框及び戸当り框は、ガラス装着部を有した本体と、その本体の見付け方向外端部に外向突部を備えた同一断面形状で、
前記召合せ框は、前記上框、下框及び戸当り框における外向突部を備えていない本体と同様な断面形状とし、
前記上框、下框及び戸当り框は、長手方向の端面をそれぞれ４５度の傾斜面とし、その端面同士を突き合わせて熱溶着で連結し、
前記上框、下框及び召合せ框は、上框、下框の本体と召合せ框の長手方向の端面をそれぞれ４５度の傾斜面とし、その端面同士を突き合わせて熱溶着で連結し、
前記障子は前記枠体に、前記上框、下框の外向突部が前記上枠、下枠の内向突部に見付け方向に重なり合うように建て込まれ、障子を閉じた状態で前記戸当り框の外向突部が前記縦枠の内向突部に見付け方向に重なり合うようにしたことを特徴とする合成樹脂製サッシである。
【０００９】
本発明においては、上框、下框及び戸当り框は、その本体の室内側部が外向突部よりも室内側に張り出した形状で、その各本体の室内側張り出し部と召合せ框が同一見付け寸法で四周連続しているようにできる。
このようにすれば、室内から見た時に、見付け寸法が小さな召合せ框、上框、下框、戸当り框の本体における室内側張り出し部が四周連続して目立つので、内観がスリムでスッキリとした見栄えの良いものとなる。
【００１０】
本発明においては、障子が閉じた状態において、戸当り框の本体の室内側張り出し部と縦枠との間に人の手が入り込む隙間が生じるようにできる。
このようにすれば、戸当り框の本体の室内側張り出し部を手掛けとして障子を容易に開放操作できる。
【００１１】
本発明においては、召合せ框に、上框、下框の外向突部の長手方向の端面を被覆する覆部材を取付けることができる。
このようにすれば、上框、下框の外向突部の長手方向の端面が露出しないようにできる。
【発明の効果】
【００１２】
本発明によれば、上框、下框と戸当り框を熱溶着で連結すると共に、上框、下框の本体と召合せ框を熱溶着で連結したので、框を熱溶着で連結して障子の框体を形成できる。
また、上框、下框、戸当り框の本体に設けた外向突部が上枠、下枠、縦枠の内向突部に見付け方向に重なり合うので、その見付け方向の重なり寸法を大きくできる。
また、召合せ框は上框、下框、戸当り框の外向突部を備えていない本体と同様な断面形状であるから、その見付け寸法が小さく、内観の見栄えが良い。
また、召合せ框の見付け方向外端部を、凹凸の無い平坦面とすることができるから、その召合せ框の見付け方向外端部に、施錠部品をカバー材を用いずに取付けできる。
【発明を実施するための最良の形態】
【００１３】
図１と図２に示すように、枠体１は、合成樹脂製の上枠１０と下枠１１と左右の縦枠１２を方形状に連結した合成樹脂製である。
この枠体１内に面内方向に移動自在に建て込んだ障子２は、合成樹脂製の上框２０と下框２１と戸当り框２２と召合せ框２３を方形状に連結した框体２４内にガラス２５を装着した合成樹脂製である。
この実施の形態では、枠体１の室内側寄りと室外側寄りに障子２が面内方向に移動自在で、引き違いにそれぞれ建て込んであり、合成樹脂製引き違いサッシとしてある。
前記面内方向とは上枠１０、下枠１１の長手方向に沿った方向である。
なお、室外側寄りに建て込んだ障子２を固定して嵌め殺し部とし、室内側寄りに建て込んだ障子２を移動するようにしても良い。
【００１４】
前記上枠１０、下枠１１、縦枠１２は、図３、図４に示すように、本体３０の内面３０ａに複数の内向突部を室内外側方向に間隔を置いて有した同一断面形状の形材を用いている。前記内面３０ａとは見付け方向（上下方向、左右方向）における障子２と対向した内側の面である。
例えば、室内側内向突部３１、室内側寄り中間内向突部３２、室外側寄り中間突部３３、室外側内向突部３４を有している。
前記室内側内向突部３１と室内側寄り中間内向突部３２との間に第１溝３５、室内側寄り中間内向突部３２と室外側寄り中間内向突部３３との間に第２溝部３６、室外側寄り中間内向突部３３と室外側内向突部３４との間に第３溝部３７をそれぞれ形成している。
この第１・第２・第３溝部３５，３６，３７は内方に開口している。
前記上枠１０と縦枠１２、下枠１１と縦枠１２は、各長手方向の端面を、切断などによって４５度の傾斜面とし、その端面同士を突き合わせて熱溶着で連結している。
【００１５】
この実施の形態では、本体３０の室内側面３０ｂと室内側内向突部３１の室内側面３１ａが面一に連続し、室内から見た時に枠体１の室内側面がフラットな１つの面として見える。
また、前記室外側内向突部３４の室外側面３４ａは前記本体３０の室外側面３０ｃよりも室内側寄りである。そして、上枠１０、下枠１１の本体３０の内面３０ａにおける室外側内向突部３４よりも室外寄り部分に網戸レール３８が取付けてある。
前記本体３０は中空部を有する形状で、その中空部に金属製の補強部材３９を挿入している。
前記上枠１０、下枠１１、縦枠１２は前述の形状に限ることはない。
【００１６】
前記上框２０、下框２１、戸当り框２２は、本体４０と、その本体４０の見付け方向外端面４０ａに設けた前記上枠１０、下枠１１、縦枠１２の内向突部と見付け方向に重なり合う外向突部を有し、本体４０の見付け方向内端部にガラス装着部４１を有した同一断面形状である。
例えば、本体４０の見付け方向外端面４０ａに室内側外向突部４２と室外側外向突部４３を一体的に設けてある。
前記本体４０の見付け方向内端面４０ｂに内向ガラス支持部４４を一体的に設けると共に、押縁４５を取付けて内向溝部を形成し、その内向溝部をガラス装着部４１とする。
【００１７】
前記召合せ框２３は、本体４０と、その本体４０の見付け方向内端部に設けたガラス装着部４１を有している。
前記ガラス装着部４１は、前記本体４０の見付け方向内端面４０ｂに内向ガラス支持部４４を一体的に設けると共に、押縁４５を取付けて内向溝部としてある。
すなわち、召合せ框２３のガラス装着部４１と上框２０、下框２１、戸当り框２２のガラス装着部４１は同一断面形状で、召合せ框２３の本体４０は上框２０、下框２１、戸当り框２２の本体４０と同様な断面形状である。要するに召合せ框２３は上框２０、下框２１、戸当り框２２における外向突部を備えていない本体４０と同様な断面形状である。
なお、召合せ框２３の本体４０は、見付け方向外端面４０ａと連続した見込み方向（室内外側方向）に向かう突片４６を有しているので、断面形状は上框２０、下框２１、戸当り框２２の本体４０の断面形状とは同一ではないが、後述するように熱溶着して連結する部分の外周形状は同一であるので、同様の断面形状と表現する。この突片４６は無くとも良く、その場合には同一の断面形状となるが、前述の同様の断面形状は同一の断面形状を含むものとする。すなわち、同様な断面形状とは端面同士を正しく突き合わせできる形状である。
【００１８】
前記上框２０と戸当り框２２、下框２１と戸当り框２２は、図５に示すように、上框２０、下框２１、戸当り框２２の長手方向の端面２０ａ，２１ａ，２２ａを、切断などによって４５度の傾斜面とし、その端面同士を突き合わせて熱溶着で連結している。
このようであるから、上框２０、下框２１と戸当り框２２は、本体４０の端面４０ｃと外向突部（室内側外向突部４２、室外側向突部４３）の端面４２ａ，４３ａがそれぞれ熱溶着で連結され、熱溶着で連結される部分の面積が大きく、強固に連結できる。
この実施の形態では、内向ガラス支持部４４の端面４４ａも熱溶着で連結される。
【００１９】
前記召合せ框２３と上框２０、下框２１は、図５に示すように、上框２０、下框２１の本体４０の長手方向の端面４０ｃと召合せ框２３の長手方向の端面（本体４０の端面４０ｃ）を、切断などで４５度の傾斜面とし、その端面同士を突き合わせて熱溶着で連結している。
この実施の形態では、上框２０、下框２１の外向突部（室内側外向突部４２、室外側外向突部４３）の長手方向の端面４２ａ，４３ａは、長手方向と直角で、召合せ框２３の本体４０の見付け方向外端面４０ａと面一に連続しているので、障子の見栄えが良い。
また、内向ガラス支持部４４の端面４４ａも熱溶着で連結される。
また、各本体４０は中空部を有し、その中空部に金属製の補強部材４７を挿入している。
【００２０】
前述のようであるから、框を熱溶着で連結して障子２の框体２４を形成できる。
なお、框体２４を形成する時には押縁４５を外しておき、框体２４を形成した後にガラス２５を装着し、その後に押縁４５を取付けする。
【００２１】
前記障子２を枠体１に建て込むことで、上框２０、下框２１の外向突部が上枠１０、下枠１１の内向突部と見付け方向に重なり合い、障子２を閉じた状態とすることで戸当り框２２の外向突部が縦枠１２の内向突部に見付け方向に重なり合う。
例えば、室内側外向突部４２が第１溝部３５内に入り込むと共に、室外側外向突部４３が第２溝部３６に入り込む。
また、下框２１の本体４０には戸車４８が取付けてある。この戸車４８は下枠１１の室内側中間内向突部３２に設けたレール３２ａに接している。
【００２２】
このようであるから、框を熱溶着で連結して障子２の框体２４を形成できると共に、上枠１０、下枠１１、縦枠１２と上框２０、下框２１、戸当り框２２の見付け方向の重なり寸法を大きくできる。
また、召合せ框２３は、上框２０、下框２１、戸当り框２２における外向突部を備えていない本体４０のみで、その見付け寸法Ｈ１は、本体４０と室内外側外向突部４２，４３を有した上框２０、下框２１、戸当り框２２の見付け寸法Ｈ２よりも小さいから、内観の見栄えが良い。
また、召合せ框２３の見付け方向外端部は、本体４０の見付け方向外端面４０ａで、凹凸のない平坦面であるから、その見付け方向外端部に施錠部品、例えばクレセント３を取付けでき、従来のようにカバー材を取付ける必要がない。
【００２３】
前記上框２０、下框２１、戸当り框２２は、その本体４０の室内側面４０ｄが外向突部、例えば室内側外向突部４２の室内側面４２ｂよりも室内寄りで、上框２０、下框２１、戸当り框２２は、本体４０の室内側部が外向突部（室内側外向突部４２）よりも室内側に張り出した形状である。
そして、上框２０、下框２１と召合せ框２３が、その召合せ框２３の本体４０の室内側面４０ｄと上框２０、下框２１の本体４０の室内側面４０ｄと室内外側方向に面一となるように連結してある。
【００２４】
このようであるから、上框２０、下框２１、戸当り框２２の本体４０と、召合せ框２３が同一見付け寸法で四周連続し、かつ上框２０、下框２１、戸当り框２２の本体４０の室内側部が外向突部よりも室内側に張り出した状態となるから、枠体１に障子２を建て込んだ状態で室内から見た時に、召合せ框２３と同一見付け寸法の上框２０、下框２１、戸当り框２２の本体４０における室内側張り出し部が四周連続して目立つから、内観が著しく見栄えが良い（図７参照）。
【００２５】
また、図１、図４に示すように障子２を閉じた状態で、戸当り框２２の本体４０の見付け方向外端面４０ａにおける室内側外向突部４２よりも室内側部分（つまり、室内側張り出し部）と、縦枠３０の室内側内向突部３１の内端面３１ｂとの間には隙間４がある。
例えば、図４に示すように、戸当り框２２の本体４０の見付け方向外端面４０ａに戸当り部材７０を取付け、障子２を閉じた状態で戸当り部材７０が縦枠１２の室内側寄り中間内向突部３２に当接すると共に、室内側外向突部４２が第１溝部３５に入り込むようにして前述の隙間４が生じるようにする。
【００２６】
このようであるから、前述の隙間４に手の指を入れて戸当り框２２の本体４０に掛けて障子２を開き方向に移動できる。
つまり、戸当り框２２の本体４０における外向突部よりも室内側に張り出した部分を、障子２を開放する時の手掛けとすることができる。
したがって、障子２を人の手で開放操作し易い。
【００２７】
なお、前述の隙間４を手の指が入り込むことができない小さい隙間としても良い。
また、本体４０の室内側面４０ｄと外向突部の室内側面（室内側外向突部４２の室内側面４２ｂを面一、又は室内側面４２ｂが室内側に張り出すようにしても良い。
【００２８】
前記召合せ框２３の本体４０の見付け方向外端面４０ａの上部と下部には、図５、図６に示すように上框２０、下框２１の外向突部の端面（室内側外向突部４２、室外側外向突部４３の端面４２ａ，４３ａ）を被覆する覆部材５０がそれぞれ取付けてある。
前記覆部材５０は、取付部５１と被覆部、例えば室内側外向突部４２を被覆する第１覆部５２、室外側外向突部４３を被覆する第２覆部５３を有し、その取付部５１がビス５４で召合せ框２３の本体４０の見付け方向外端面４０ａに取付けられる。
【００２９】
このようであるから、上框２０、下框２１の外向突部の端面（室内側外向突部４２、室外側外向突部４３の端面４２ａ，４３ａ）が露出しないので、見栄えが良い。
前述の覆部材５０は室内外側方向に対称形状で、上下反転することで召合せ框２３の上下部にそれぞれ取付けできるようにしてある。
【００３０】
次に、本発明の第２の実施の形態を図８に基づいて説明する。
この実施の形態は、前述の第１の実施の形態の枠体と同様の枠体１の室内側寄りの左右両側に、前述の第１の実施の形態の障子と同様の第１の障子２を面内方向に移動自在にそれぞれ建て込み、前記枠体１の室外側寄りの左右中間部に第２の障子５を建て込んである。
前記第１の障子２の上框、下框（図示せず）は第１の実施の形態の室内側寄りの障子２の上框２０、下框２１と同一断面形状で、その第１の障子２の戸当り框２２、召合せ框２３は第１の実施の形態の室内側寄りの障子の戸当り框２２、召合せ框２３と同一断面形状である。
前記左側の第１の障子２は召合せ框２３が右側に位置し、右側の第１の障子２は召合せ框２３が左側に位置し、その召合せ框２３の本体４０の見付け方向外端面４０ａが相対向している。
要するに、左右の第１の障子２の召合せ框２３は左右対称形状である。
【００３１】
前記第２の障子５は、上框、下框（図示せず）と左右の召合せ框２３を方形状に連結した框体２４にガラス２５を装着したもので、その上框、下框は前述の第１の実施の形態の室外側の障子２の上框、下框と同一断面形状で、召合せ框２３は前述の第１の実施の形態の室外側の障子の召合せ框２３を、召合せ部を室内側部分とした框と同一断面形状である。
【００３２】
そして、第２の障子５の上框、下框が上枠、下枠に固定手段で固定されて第２の障子５は固定される。
前記左側の第１の障子２を閉じると、その召合せ框２３が第２の障子５の左側の召合せ框２３と重なり合う。
前記右側の第２の障子２を閉じると、その召合せ框２３が第２の障子５の右側の召合せ框２３と重なり合う。
【００３３】
このようであるから、左側、右側の第１の障子２を閉じた状態で左側・右側の第１の障子２と第２の障子５の左右との召合せ部の見付け寸法が小さく、内観及び外観の見栄えが良い。
なお、第１の障子２を枠体１の室外側寄りの左右両側に建て込み、第２の障子５を枠体１の室内側寄りの左右中間部に建て込んでも良い。この場合には、召合せ框２３の召合せ部分を室内外側で反対とする。
【００３４】
次に、本発明の第３の実施の形態を図９、図１０に基づいて説明する。
この実施の形態は、前述の第１の実施の形態における枠体１の室内側寄りの障子２と室外側寄りの障子２との間に中間障子６を面内方向に移動自在に建て込んだ三枚建て合成樹脂製サッシである。
前記枠体１の上枠１０、下枠１１、左右の縦枠１２は、第１の実施の形態の本体３０の内面３０ａにおける室外側内向突部３４よりも室外側寄りに、室外側補助中間内向突部６０、室外側補助内向突部６１を設けたものである。
要するに、本体３０の室内外側方向の寸法を第１の実施の形態の本体よりも大きくして中間障子６を建て込むスペースを確保すると共に、その本体３０の内面に２つの内向突部を余分に設けた形状である。
【００３５】
前記枠体１の室内側寄りに建て込んだ障子２、室外側寄りに建て込んだ障子２は、その上框２０、下框２１、戸当り框２２、召合せ框２３が前述の第１の実施の形態における室内側寄り、室外側寄りに建て込んだ障子２の上框２０、下框２１、戸当り框２２、召合せ框２３と同一の断面形状である。
そして、室内側寄りに建て込んだ障子２は、上枠１０、下枠１１の室内側寄り中間内向突部３２に沿って面内方向に移動自在に建て込まれている。
前記室外側寄りに建て込んだ障子２は、上枠１０、下枠１１の室外側補助内向突部６１に沿って面内方向に移動自在に建て込まれる。
【００３６】
前記中間障子６は、上框２０と下框２１と左右の召合せ框２３を方形状に連結した框体２４にガラス２５を装着したものである。
この中間障子６の上框２０、下框２１は前記障子２の上框２０、下框２１と同一断面形状である。
また、左側の召合せ框２３は、室内側の障子２の召合せ框２３と同一断面形状で、召合せ部が室外側部分である。右側の召合せ框２３は室外側の障子２の召合せ框２３と同一断面形状で、召合せ部が室内側部分である。
【００３７】
前記中間障子６は、上枠１０、下枠１１の室外側内向突部３４に沿って面内方向に移動自在に建て込まれる。
そして、前記室内側の障子２と中間障子６を閉じ位置とすることで、その室内側の障子２の召合せ框２３と中間障子６の右側の召合せ框２３が重なり合う。
前記室外側の障子２と中間障子６を閉じ位置とすることで、その室内側の障子２の召合せ框２３と中間障子６の左側の召合せ框２３が重なり合う。
【００３８】
前記各召合せ框２３は本体４０のみで見付け寸法が小さいので、室内側の障子２と中間障子６の召合せ部の見付け寸法が小さいと共に、室外側の障子２と中間障子６の召合せ部の見付け寸法が小さい。
したがって、内観及び外観の見栄えが良い。
【図面の簡単な説明】
【００３９】
【図１】本発明の実施の形態を示す合成樹脂製サッシの概略内観図である。
【図２】本発明の実施の形態を示す合成樹脂製サッシの概略外観図である。
【図３】図１の詳細縦断面図である。
【図４】図１の詳細横断面図である。
【図５】障子の框体の内観図である。
【図６】図５の左側面図である。
【図７】合成樹脂サッシの斜視図である。
【図８】本発明の第２の実施の形態を示す合成樹脂製サッシの横断面図である。
【図９】本発明の第３の実施の形態を示す合成樹脂製サッシの縦断面図である。
【図１０】本発明の第３の実施の形態を示す合成樹脂製サッシの横断面図である。
【符号の説明】
【００４０】
１…枠体、２…障子、３…クレセント（施錠部品）、４…隙間、１０…上枠、１１…下枠、１２…縦枠、２０…上框、２１…下框、２２…戸当り框、２３…召合せ框、２４…框体、２５…ガラス、３０…本体、３０ａ…内面、３１…室内側内向突部、３２…室内側寄り中間内向突部、３３…室外側寄り中間内向突部、３４…室外側内向突部、４０…本体、４０ａ…見付け方向外端面、４０ｂ…見付け方向内端面、４１…ガラス装着部、４２…室内側外向突部、４３…室外側外向突部、５０…覆部材、６０…室外側補助中間内向突部、６１…室外側補助内向突部。
【図１】
2009052364.tif 000003
【図２】
2009052364.tif 000004
【図３】
2009052364.tif 000005
【図４】
2009052364.tif 000006
【図５】
2009052364.tif 000007
【図６】
2009052364.tif 000008
【図７】
2009052364.tif 000009
【図８】
2009052364.tif 000010
【図９】
2009052364.tif 000011
【図１０】
2009052364.tif 000012